(57)【要約】 【課題】  パーソナルエリアネットワーク上の通信端末に対して複数の通信リンクを使用してパケットを配送し、又、アプリケーションに応じた通信リンクを使用してパーソナルエリアネットワーク上の通信端末にパケットを転送する。【解決手段】  本発明によるパケット配送システムは、モバイルネットワーク２００に少なくとも１つ以上のリンク３００を介して接続される通信端末１と、ＰＡＮ１００上の通信端末１に対応する通信リンク識別アドレス９４を保持するＰＡＮ登録装置２と、ＰＡＮ登録装置２にＰＡＮ識別アドレス９１を付与して管理するＰＡＮ管理装置３と、ＰＡＮ管理装置から受信されるパケット転送規則に基づき、モバイルネットワーク２００を介して受信されるＰＡＮ１００宛てのパケットデータのメディア情報９５を参照し、メディア情報９５に対応する通信リンク識別アドレス宛にパケットデータを転送する。【選択図】  図３
2006191514.tif 000002
【特許請求の範囲】
【請求項１】
ネットワークと、
前記ネットワークに少なくとも１つ以上のリンクを介して接続される第１の通信端末と、
前記ネットワークに接続され、前記ネットワークを介して受信されるパケットデータのペイロード情報に対応するリンクを決定し、前記リンクを介して前記第１の通信端末に前記パケットデータを転送するパケット転送装置とを備える
パケット配送システム。
【請求項２】
請求項１に記載のパケット配送システムにおいて、
前記第１の通信端末に接続されるパーソナルエリアネットワークと、
前記パーソナルエリアネットワークに接続され、前記パーソナルエリアネットワークを介して前記第１の通信端末から通信リンク識別アドレスを取得するＰＡＮ登録装置と、
前記ネットワークに接続されるＰＡＮ管理装置とを備え、
前記ＰＡＮ登録装置は、前記ネットワークを介し前記ＰＡＮ管理装置に接続し、前記通信リンク識別アドレスを送信し、
前記ＰＡＮ管理装置は、前記通信リンク識別アドレスと、前記ペイロード情報とを対応付けたパケット転送規則を作成し、前記パケット転送装置に送信し、
前記パケット転送装置は、前記パケット転送規則を参照し、前記ネットワークを介して受信されるパケットデータのペイロード情報に対応する通信リンク識別アドレスを宛て先アドレスに指定して前記パケットデータをカプセル化して、前記通信リンク識別アドレスに対応するリンクを介して前記第１の通信端末に前記パケットデータを転送する
パケット配送システム。
【請求項３】
請求項２に記載のパケット配送システムにおいて、
前記ＰＡＮ登録装置は、前記パーソナルエリアネットワークを介して前記第１の通信端末に端末識別アドレスを付与し、前記ネットワークを介し前記ＰＡＮ管理装置から前記パーソナルエリアネットワークに固有のＰＡＮ識別アドレスを取得し、ＰＡＮ管理装置に対し、前記端末識別アドレスを送信し、
前記ＰＡＮ管理装置は、前記ＰＡＮ識別アドレスと前記端末識別アドレスと前記ペイロード情報とを対応付けたパケット転送規則を作成し、前記ネットワークを介し、前記パケット転送装置に送信し、
前記パケット転送装置は、前記パケット転送規則を参照し、前記ネットワークを介して受信されるパケットデータの宛て先アドレスが前記ＰＡＮ識別アドレスと一致する場合、前記宛て先アドレスを、前記ＰＡＮ識別アドレスに対応する前記端末識別アドレスに変換し、前記ＰＡＮ識別アドレス及び前記ペイロード情報に対応する通信リンク識別アドレスを宛て先アドレスに指定して、前記宛て先アドレスが変更されたパケットデータをカプセル化して、前記通信リンク識別アドレスに応じたリンクを介して前記第１の通信端末に前記パケットデータを転送する
パケット配送システム。
【請求項４】
請求項２に記載のパケット配送システムにおいて、
前記ネットワークに接続され、前記ＰＡＮ識別アドレスを宛て先アドレスとして指定され、自身のアドレスである通信相手端末アドレスをソースアドレスとして指定されたパケットデータを、前記パケット転送装置に送信する通信相手端末を更に具備し、
前記通信相手端末は、前記ネットワークを介して前記ＰＡＮ登録装置に対し、セッション情報として、前記通信相手端末アドレスを送信し、
前記ＰＡＮ登録装置は、前記ＰＡＮ識別アドレスと、前記端末識別アドレスと、前記通信相手端末アドレスとを対応付けて前記ＰＡＮ管理装置に送信し、
前記ＰＡＮ管理装置は、前記ＰＡＮ識別アドレスと前記端末識別アドレスと前記通信相手端末のアドレスとを対応付けたパケット転送規則を作成し、前記ネットワークを介し、前記パケット転送装置に送信し、
前記パケット転送装置は、前記パケット転送規則を参照し、前記ネットワークを介して受信されるパケットデータの宛て先アドレスと一致する前記ＰＡＮ識別アドレスと前記パケットデータのソースアドレスと一致する前記通信相手端末アドレスとに対応する前記端末識別アドレスに、前記宛て先アドレスを変換し、前記ＰＡＮ識別アドレス及び前記ペイロード情報に対応する通信リンク識別アドレスを宛て先アドレスに指定して、前記宛て先アドレスが変更されたパケットデータをカプセル化して、前記通信リンク識別アドレスに応じたリンクを介して前記第１の通信端末に前記パケットデータを転送する
パケット配送システム。
【請求項５】
請求項３又は４に記載のパケット配送システムにおいて、
前記パーソナルエリアネットワークに接続する第２の通信端末を更に備え、
前記第１の通信端末は、前記リンクを介して受信される前記カプセル化されたパケットデータをデカプセル化して宛て先アドレスを参照して、前記端末識別アドレスに基づき、前記パーソナルエリアネットワークを介して前記第２の通信端末に前記デカプセル化したパケットデータを転送する
パケット配送システム。
【請求項６】
パーソナルエリアネットワークに接続するＰＡＮインターフェースと、
ネットワークに接続するためのネットワークインターフェースと、
前記ネットワーク上のＰＡＮ管理装置から取得される前記パーソナルエリアネットワークを識別するＰＡＮ識別アドレスを用いて、前記ＰＡＮ管理装置に登録するＰＡＮ登録部と、
前記パーソナルエリアネットワーク上の通信端末に対し、通信端末固有の端末識別アドレスを付与し、前記通信端末と前記端末識別アドレスを対応付ける端末登録部と、
前記ＰＡＮ識別アドレスと前記端末識別アドレスと前記通信端末から取得される前記通信端末が使用するリンク種別とを関連付けてＰＡＮ情報として保持するＰＡＮ情報データベースとを具備する
ＰＡＮ登録装置。
【請求項７】
請求項６に記載のＰＡＮ登録装置において、
前記ネットワーク上の通信相手端末のデータの宛て先として前記ＰＡＮ識別アドレスを指定して、前記通信相手とセッションの確立を行なうセッション処理部と、
パケット転送要求として前記ＰＡＮ管理装置に送信する転送処理部とを更に備える
ＰＡＮ登録装置。
【請求項８】
ネットワークに接続するためのネットワークインターフェースと、
パーソナルエリアネットワーク上のＰＡＮ登録装置に対し、ネットワークを介してＰＡＮ識別アドレスを付与し、前記パーソナルエリアネットワークと対応付けて登録するＰＡＮ登録部と、
前記ＰＡＮ登録装置から受信されるパーソナルエリアネットワーク上の通信端末の端末識別アドレスと、前記通信端末が使用するリンク種別と、前記ＰＡＮ識別アドレスと、パケットデータの配送元アドレスとを関連付けてパケット転送規則を作成し、ネットワーク上のパケット転送装置に送信する転送規則作成部とを備える
パケット管理装置。
【請求項９】
ネットワークに接続するためのネットワークインターフェースと、
リンクを介しパーソナルエリアネットワークに接続するためのＰＡＮインターフェースと、
前記ネットワークを介して受信されるＰＡＮ識別アドレスと端末装置識別アドレスと、リンク識別アドレスと、パケットデータのペイロード情報とを関連付けたパケット転送規則を格納する転送設定データベースと、
前記ネットワークを介して受信されるパケットデータの宛て先アドレスが前記ＰＡＮ識別アドレスと一致する場合、前記宛て先アドレスを、前記ＰＡＮ識別アドレスに対応する前記端末識別アドレスに変換し、前記ＰＡＮ識別アドレス及び前記パケットデータに含まれるペイロード情報に対応する通信リンク識別アドレスを宛て先アドレスに指定して、前記宛て先アドレスが変更されたパケットデータをカプセル化して、前記通信リンク識別アドレスに応じたリンクを介して前記パーソナルエリアネットワーク上の通信端末に前記パケットデータを転送する転送処理部とを備える
パケット転送装置。
【請求項１０】
パケットデータを受信するステップと、
前記パケットデータに含まれるペイロード情報に対応するリンクを決定するステップと、
前記リンクを介して、パーソナルエリアネットワーク上の第１の通信端末に前記パケットを転送するステップとを具備する
パケット配送方法。
【請求項１１】
請求項１０に記載のパケット配送方法において、
ＰＡＮ登録装置がパーソナルエリアネットワークを介して前記第１の通信端末から通信リンク識別アドレスを取得するステップと、
前記ＰＡＮ登録装置が前記通信リンク識別アドレスとペイロード情報を対応付けたパケット転送要求を、ネットワーク上のＰＡＮ管理装置に送信するステップと、
前記ＰＡＮ管理装置が、前記通信リンク識別アドレスと、前記ペイロード情報とを対応付けたパケット転送規則を作成し、ネットワーク上のパケット転送装置に送信するステップと、
前記パケット転送装置が、前記パケット転送規則を参照し、前記ネットワークを介して受信されるパケットデータのペイロード情報に対応する通信リンク識別アドレスを宛て先アドレスに指定して前記パケットデータをカプセル化するステップと、
前記パケット転送装置が、前記通信リンク識別アドレスに対応するリンクを介して前記第１の通信端末に前記カプセル化されたパケットデータを転送するステップと、
パケット配送方法。
【請求項１２】
請求項１０に記載のパケット配送方法において、
前記ＰＡＮ登録装置が、前記ＰＡＮを介して前記第１の通信端末に端末識別アドレスを付与するステップと、
前記ＰＡＮ登録装置が、前記ネットワークを介し前記ＰＡＮ管理装置から前記パーソナルエリアネットワークに固有のＰＡＮ識別アドレスを取得するステップと、
前記ＰＡＮ登録装置が、ＰＡＮ管理装置に対し、前記端末識別アドレスを送信するステップとを更に備え、
前記ＰＡＮ管理装置が、パケット転送規則を作成し、転送するステップにおいて、前記パケット転送規則に更に前記ＰＡＮ識別アドレスを対応付けるステップを備え、
前記パケット転送装置が、前記パケットデータをカプセル化するステップにおいて、前記パケット転送規則を参照し、前記ネットワークを介して受信されるパケットデータの宛て先アドレスが前記ＰＡＮ識別アドレスと一致する場合、前記宛て先アドレスを、前記ＰＡＮ識別アドレスに対応する前記端末識別アドレスに変換するステップと、
前記ＰＡＮ識別アドレス及び前記ペイロード情報に対応する通信リンク識別アドレスを宛て先アドレスに指定して、前記宛て先アドレスが変更されたパケットデータをカプセル化するステップとを含む
パケット配送方法。
【請求項１３】
請求項１０に記載のパケット配送方法において、
通信相手端末が、前記ＰＡＮ識別アドレスを宛て先アドレスとして指定し、自身のアドレスである通信相手端末アドレスをソースアドレスとして指定してパケットデータを、前記パケット転送装置に送信するステップと、
前記通信相手端末が、前記ネットワークを介して前記ＰＡＮ登録装置に対し、セッション情報として、前記通信相手端末アドレスを送信するステップと、
前記ＰＡＮ登録装置が、前記ＰＡＮ識別アドレスと、前記端末識別アドレスと、前記通信相手端末アドレスとを対応付けて前記ＰＡＮ管理装置に送信するステップと、
前記ＰＡＮ管理装置が、前記ＰＡＮ識別アドレスと前記端末識別アドレスと前記通信相手端末のアドレスとを対応付けたパケット転送規則を作成し、前記ネットワークを介し、前記パケット転送装置に送信するステップと、
前記パケット転送装置が、前記パケット転送規則を参照し、前記ネットワークを介して受信されるパケットデータの宛て先アドレスと一致する前記ＰＡＮ識別アドレスと前記パケットデータのソースアドレスと一致する前記通信相手端末アドレスとに対応する前記端末識別アドレスに、前記宛て先アドレスを変換し、前記ＰＡＮ識別アドレス及び前記ペイロード情報に対応する通信リンク識別アドレスを宛て先アドレスに指定して、前記宛て先アドレスが変更されたパケットデータをカプセル化して、前記通信リンク識別アドレスに応じたリンクを介して前記第１の通信端末に前記パケットデータを転送するステップとを備える
パケット配送方法。
【請求項１４】
請求項１２又は１３に記載のパケット転送方法において、
前記第１の通信端末が、前記リンクを介して受信される前記カプセル化されたパケットデータをデカプセル化して宛て先アドレスを参照して前記端末識別アドレスに基づき、前記パーソナルエリアネットワークを介して第２の通信端末に前記デカプセル化したパケットデータを転送するステップとを更に備える
パケット配送方法。
【請求項１５】
請求項１に記載のパケット配送システムにおいて、
前記第１の通信端末に接続されるパーソナルエリアネットワークと、
前記ネットワークに接続されるＰＡＮ管理装置とを更に具備し、
前記第１の通信端末は、前記ネットワークを介し前記ＰＡＮ管理装置に接続し、前記リンクに対応付けられた通信リンク識別アドレスを、前記ＰＡＮ管理装置に送信し、
前記ＰＡＮ管理装置は、前記通信リンク識別アドレスと、前記ペイロード情報とを対応付けたパケット転送規則を作成し、前記パケット転送装置に送信し、
前記パケット転送装置は、前記パケット転送規則を参照し、前記ネットワークを介して受信されるパケットデータのペイロード情報に対応する前記通信リンク識別アドレスを宛て先アドレスに指定して前記パケットデータをカプセル化して、前記通信リンク識別アドレスに対応する前記リンクを介して前記第１の通信端末に前記パケットデータを転送する
パケット配送システム。
【請求項１６】
請求項１５に記載のパケット配送システムにおいて、
前記第１の通信端末は、前記パーソナルエリアネットワークに固有のアドレスとして自身を識別する第１の端末識別アドレスを対応付けて前記ＰＡＮ管理装置に送信し、
前記ＰＡＮ管理装置は、前記第１の端末識別アドレスと前記ペイロード情報とを対応付けたパケット転送規則を作成し、前記ネットワークを介し、前記パケット転送装置に送信し、
前記パケット転送装置は、前記パケット転送規則を参照し、前記ネットワークを介して受信されるパケットデータの宛て先アドレスが前記第１の端末識別アドレスと一致する場合、
前記第１の端末識別アドレス及び前記ペイロード情報に対応する通信リンク識別アドレスを宛て先アドレスに指定して、前記パケットデータをカプセル化し、前記通信リンク識別アドレスに応じたリンクを介して前記第１の通信端末に前記パケットデータを転送する
パケット配送システム。
【請求項１７】
請求項１５に記載のパケット配送システムにおいて、
前記パーソナルネットワークを介して前記第１の通信端末に接続される第２の通信端末及び第３の通信端末を更に具備し、
前記第２の通信端末は、第２のリンクを介して前記ネットワークに接続され、前記リンクに対応する第２のリンク識別アドレスが割り当てられ、
前記第１の通信端末は、前記第３の通信端末を識別する第３の端末識別アドレスと前記第２の通信端末とを関連付けて前記ＰＡＮ管理装置に登録し、
前記ＰＡＮ管理装置は、前記第３の端末識別アドレス及び前記第２のリンク識別アドレスと前記ペイロード情報とを対応付けたパケット転送規則を作成し、前記ネットワークを介し、前記パケット転送装置に送信し、
前記パケット転送装置は、前記パケット転送規則を参照し、前記ネットワークを介して受信されるパケットデータの宛て先アドレスが前記第１の端末識別アドレスと一致する場合、前記第１の端末識別アドレスを、前記ペイロード情報に対応する前記第３の端末識別アドレスに変換し、前記ペイロード情報に対応する第２の通信リンク識別アドレスを宛て先アドレスに指定して、前記宛て先アドレスが変換されたパケットデータをカプセル化し、前記第２の通信リンク識別アドレスに応じた第２のリンクを介して前記第２の通信端末に前記パケットデータを転送し、
前記第２の通信端末は前記カプセル化されたパケットをデカプセル化し、前記第３の端末識別アドレスに基づいて前記第３の通信端末に前記パケットを送信する
パケット配送システム。
【請求項１８】
請求項１６又は１７に記載のパケット配送システムにおいて、
前記パーソナルエリアネットワークに接続する第２の通信端末を更に備え、
前記第１の通信端末は、前記リンクを介して受信される前記カプセル化されたパケットデータをデカプセル化して宛て先アドレスを参照して、前記端末識別アドレスに基づき、前記パーソナルエリアネットワークを介して前記第２の通信端末に前記デカプセル化したパケットデータを転送する
パケット配送システム。
【請求項１９】
請求項１に記載のパケット転送システムにおいて、
前記第１の通信端末に接続されるパーソナルエリアネットワークと、
前記パーソナルエリアネットワークに接続され、前記パーソナルエリアネットワークを介して前記第１の通信端末から前記リンクに対応付けられた通信リンク識別アドレスを取得するＰＡＮ登録装置と、
前記ネットワークに接続されるＰＡＮ管理装置とを備え、
前記ＰＡＮ登録装置は、前記ネットワークを介し前記ＰＡＮ管理装置に接続し、前記通信リンク識別アドレスを送信し、
前記ＰＡＮ管理装置は、前記通信リンク識別アドレスと、前記ペイロード情報とを対応付けたパケット転送規則を作成し、前記パケット転送装置に送信し、
前記パケット転送装置は、前記パケット転送規則を参照し、前記ネットワークを介して受信されるパケットデータのペイロード情報に対応する通信リンク識別アドレスに、宛て先アドレスを変換して、前記通信リンク識別アドレスに対応するリンクを介して前記第１の通信端末に前記パケットデータを転送する
パケット配送システム。
【請求項２０】
請求項１９に記載のパケット配送システムにおいて、
前記ＰＡＮ登録装置は、前記パーソナルエリアネットワークに固有のアドレスとしてＰＡＮ識別アドレスを前記ＰＡＮ管理装置に送信し、
前記ＰＡＮ管理装置は、前記ＰＡＮ識別アドレスと前記ペイロード情報とを対応付けたパケット転送規則を作成し、前記ネットワークを介し、前記パケット転送装置に送信し、
前記パケット転送装置は、前記パケット転送規則を参照し、前記ネットワークを介して受信されるパケットデータの宛て先アドレスが前記ＰＡＮ識別アドレスと一致する場合、
前記ＰＡＮ識別アドレス及び前記ペイロード情報に対応する前記通信リンク識別アドレスに宛て先アドレスを変換して、前記通信リンク識別アドレスに応じたリンクを介して前記第１の通信端末に前記パケットデータを転送する
パケット配送システム。
【請求項２１】
請求項１から２０いずれか１項に記載のパケット配送システムにおいて、
前記ペイロード情報は、パケットデータのメディア情報である
パケット転送システム。
【請求項２２】
請求項１から２１いずれか１項に記載のパケット配送システムにおいて、
前記ネットワークはモバイルネットワークである
パケット転送システム。
【請求項２３】
パーソナルエリアネットワークに接続するＰＡＮインターフェースと、
ネットワークに接続するためのネットワークインターフェースと、
自身を識別する端末識別アドレスと前記パーソナルエリアネットワークとを対応付けるＰＡＮ登録部と、
前記パーソナルエリアネットワーク上の通信端末に対し、通信端末固有の端末識別アドレスを付与し、前記通信端末と前記端末識別アドレスを対応付ける端末登録部と、
前記ＰＡＮ識別アドレスと前記端末識別アドレスと前記通信端末から取得される前記通信端末が使用するリンク種別とを関連付けてＰＡＮ情報として保持するＰＡＮ情報データベースとを具備する
通信端末。
【発明の詳細な説明】
【技術分野】
【０００１】
本発明は、パケット配送システムに関し、特にモバイルネットワークに複数の通信リンクを介して接続するパーソナルエリアネットワーク上の端末装置にパケットを配送するパケット配送システムに関する。
【背景技術】
【０００２】
近年、プライベートなネットワークを構成する手段として、ＩＥＥＥ８０２．１５で規定されている端末装置間をＢｌｕｅｔｏｏｔｈのような近距離無線で接続するパーソナルエリアネットワーク（以下、ＰＡＮと呼ぶ）や端末装置同士が直接非同期的に無線通信を行なって構成するアドホックネットワークが存在する。
【０００３】
これらのプライベートなネットワークがモバイルネットワークに接続するための手段として、非特許文献１に記載されているＮｅｔｗｏｒｋ  Ｍｏｂｉｌｉｔｙ（ＮＥＭＯ）というプロトコルが存在する。ＮＥＭＯはモバイルルータを介して複数の通信端末が集まって構築されたネットワークがインターネットに接続するためのプロトコルである。図１及び図２を参照してＮＥＭＯの動作が説明される。
【０００４】
ＮＥＭＯは、Ｈｏｍｅ  Ａｇｅｎｔ（通信端末）４０、Ｈｏｍｅ  Ａｇｅｎｔ（モバイルルータ）３０、通信端末１０とモバイルルータ２０を具備する。図５を参照して、ＮＥＭＯにおける制御パケットの流れが示される。Ｈｏｍｅ  Ａｇｅｎｔ（通信端末）４０は通信端末１０を管理するノードである。又、Ｈｏｍｅ  Ａｇｅｎｔ（モバイルルータ）３０はモバイルルータ２０を管理するノードである。モバイルルータ２０は、インターネット２００に接続されるルータ５０からルータ広告を受信して、プリフィクス＃１のサブネットへ移動したことを検知すると（動作Ａ１）、プリフィクス＃１を用いてＣａｒｅ−ｏｆ  ａｄｄｒｅｓｓ（ＣｏＡ）を作成し、Ｈｏｍｅ  Ａｇｅｎｔ（モバイルルータ）３０に対してＢｉｎｄｉｎｇ  Ｕｐｄａｔｅを送信し、モバイルルータ２０のＨｏｍｅ  Ａｄｄｒｅｓｓ（ＨｏＡ）とＣｏＡの対応関係を通知する（動作Ａ２）。Ｈｏｍｅ  Ａｇｅｎｔ（モバイルルータ）３０はＢｉｎｄｉｎｇ  Ｕｐｄａｔｅを受信すると、モバイルルータ２０のホームプリフィクス宛のパケットをモバイルルータ２０のＣｏＡ宛に転送するように設定する。次に、通信端末１０はモバイルルータ２０からルータ広告を受信して、モバイルルータ２０のホームプリフィクスであるプリフィクス＃２のサブネットへ移動したことを検知すると（動作Ａ３）、プリフィクス＃２を用いてＣｏＡを作成し、Ｈｏｍｅ  Ａｇｅｎｔ（通信端末）４０に対してＢｉｎｄｉｎｇ  Ｕｐｄａｔｅを送信し、通信端末１０のＨｏＡとＣｏＡの対応関係を通知する（動作Ａ４）。Ｈｏｍｅ  Ａｇｅｎｔ（通信端末）１０はＢｉｎｄｉｎｇ  Ｕｐｄａｔｅを受信すると、通信端末１０のＨｏＡ宛のパケットを通信端末１０のＣｏＡ宛に転送するように設定する。
【０００５】
次に、図２を参照して、ＮＥＭＯにおけるパケットの流れが示される。通信相手端末６０から通信端末１０へパケットを送信する場合、通信端末１０のＨｏＡ宛にパケットを送信する。Ｈｏｍｅ  Ａｇｅｎｔ（通信端末）４０は通信端末１０のＨｏＡ宛のパケットを受信すると、モバイルルータ２０のホームプリフィクスを持つ通信端末１０のＣｏＡ宛へトンネリングして転送する。Ｈｏｍｅ  Ａｇｅｎｔ（モバイルルータ）３０は通信端末１０のＣｏＡ宛を受信すると、モバイルルータ２０のＣｏＡ宛へトンネリングして転送する。モバイルルータ２０はパケットを受信すると、デカプセル化し、通信端末１０に対してパケットを転送する。以上のようにＮＥＭＯでは、ネットワークの移動を可能としている。
【０００６】
近年の移動体ネットワークでは、ユーザは移動端末として携帯電話だけでなく、ノートＰＣやＰＤＡなど複数の移動端末を所有し、用途に合わせて各移動端末を利用している。このような傾向の中で、上記のような複数の通信端末を用いてプライベートエリアネットワークを構築した場合、モバイルネットワークと複数の通信リンクを持つプライベートエリアネットワークが形成される。しかし、ＮＥＭＯのような従来のパケット転送方式は、あるサブネットに存在する１台の移動端末に複数のパケット転送経路をＨｏｍｅ  Ａｇｅｎｔに設定できないため、ＰＡＮ内の１台の通信端末に対して同時に複数の無線通信リンクを選択してパケットを転送できない。
【０００７】
既存の通信リンクには、Ｗ−ＣＤＭＡのように通信カバーエリアは広いが通信帯域が狭いリンクや、無線ＬＡＮのように通信カバーエリアは点在しているが通信帯域が広いリンクなど、通信リンクに応じて様々な特性がある。そのため、ＶｏＩＰのように通信時間が比較的長く、通信帯域が狭いものは通信リンクとしてＷ−ＣＤＭＡが適しており、音楽ファイルのダウンロードのように大量のデータをバースト的に通信を行なうアプリケーションは無線ＬＡＮのような帯域の広い通信リンクが適するなど、各アプリケーションの使用形態に応じた通信リンクが存在する。従って、モバイルネットワークに接続されるＰＡＮ内の通信端末に対し、アプリケーションに応じた通信リンクを選択してパケットを転送することや、ＰＡＮ内の１台通信端末に対してアプリケーションに応じた複数の通信リンクを同時に選択してパケットを転送することが望まれている。
【非特許文献１】Ｖｉｊａｙ  Ｄｅｖａｒａｐａｌｌｉ、  他３名、  “Ｎｅｔｗｏｒｋ  Ｍｏｂｉｌｉｔｙ（ＮＥＭＯ）  Ｂａｓｉｃ  Ｓｕｐｐｏｒｔ  Ｐｒｏｔｏｃｏｌ”、［ｏｎｌｉｎｅ］、２００４年６月、ＩＥＴＦ（Ｔｈｅ  Ｉｎｔｅｒｎｅｔ  Ｅｎｇｉｎｅｅｒｉｎｇ  Ｔａｓｋ  Ｆｏｒｃｅ）、［平成１７年２月２２日検索］、インターネット＜ｈｔｔｐ：／／ｗｗｗ．ｉｅｔｆ．ｏｒｇ／ｒｆｃ／ｒｆｃ３９６３．ｔｘｔ＞
【発明の開示】
【発明が解決しようとする課題】
【０００８】
本発明の目的は、パーソナルエリアネットワーク上の通信端末に対して複数の通信リンクを使用してパケットを配送できるパケット配送システム、ＰＡＮ登録装置、ＰＡＮ管理装置及びパケット転送装置を提供することにある。
本発明の他の目的は、アプリケーションに応じた通信リンクを使用してパーソナルエリアネットワーク上の通信端末にパケットを転送するパケット配送システム、ＰＡＮ登録装置、ＰＡＮ管理装置及びパケット転送装置を提供することにある。
【課題を解決するための手段】
【０００９】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明によるパケット配送システムは、ネットワーク（２００）と、ネットワーク（２００）に少なくとも１つ以上のリンク（３００）を介して接続される第１の通信端末（１、１−１、１−２）と、モバイルネットワーク（２００）に接続され、ネットワーク（１００）を介して受信されるパケットデータのペイロード情報（９５）に対応するリンク（３００）を決定し、リンク（３００）を介して第１の通信端末（１、１−１、１−２）にデータを転送するパケット転送装置（４）とを備える。
【００１１】
第１の通信端末（１、１−１、１−２）に接続されるパーソナルエリアネットワーク（１００）(以下、ＰＡＮと呼ぶ)と、ＰＡＮ（１００）に接続され、ＰＡＮ（１００）を介して第１の通信端末（１、１−１、１−２）から通信リンク識別アドレス（９４）を取得するＰＡＮ登録装置（２）と、ネットワーク（２００）に接続されるＰＡＮ管理装置（３）とを備える。ＰＡＮ登録装置（２）は、ネットワーク（２００）を介しＰＡＮ管理装置（３）に接続し、通信リンク識別アドレス（９４）を送信し、ＰＡＮ管理装置（３）は、通信リンク識別アドレス（９４）と、ペイロード情報（９５）とを対応付けたパケット転送規則（９０）を作成し、パケット転送装置（４）に送信する。パケット転送装置（４）は、このパケット転送規則（９０）をパケット転送設定として参照し、ネットワーク（２００）を介して受信されるパケットデータのペイロード情報（９５）に対応する通信リンク識別アドレス（９４）を宛て先アドレスに指定して前記パケットデータをカプセル化して、通信リンク識別アドレス（９４）に対応するリンク（３００）を介して第１の通信端末（１、１−１、１−２）にパケットデータを転送する。
【００１２】
又、ＰＡＮ登録装置（２）は、ＰＡＮ（１００）を介して第１の通信端末（１、１−１、１−２）に端末識別アドレス（９３）を付与し、ネットワーク（２００）を介しＰＡＮ管理装置（３）からＰＡＮ（１００）に固有のＰＡＮ識別アドレス（９１）を取得し、ＰＡＮ管理装置（３）にＰＡＮ登録する。ＰＡＮ登録装置（２）は、端末識別アドレス（９３）をＰＡＮ管理装置（３）送信し、ＰＡＮ管理装置（３）は、ＰＡＮ登録装置に割り当てたＰＡＮ識別アドレス（９１）と端末識別アドレス（９３）とペイロード情報（９５）とを対応付けたパケット転送規則（９０）を作成し、ネットワーク（２００）を介し、パケット転送装置（４）に送信する。
【００１３】
パケット転送装置（４）は、パケット転送規則（９０）をパケット転送設定として参照し、ネットワーク（２００）を介して受信されるパケットデータの宛て先アドレスがＰＡＮ識別アドレス（９１）と一致する場合、宛て先アドレスを、ＰＡＮ識別アドレス（９１）に対応する端末識別アドレス（９３）に変換し、ＰＡＮ識別アドレス（９１）及びペイロード情報（９５）に対応する通信リンク識別アドレス（９４）を宛て先アドレスに指定して、宛て先アドレスが変更されたパケットデータをカプセル化して、通信リンク識別アドレス（９４）に応じたリンク（３００）を介して第１の通信端末（１、１−１、１−２）にパケットデータを転送する。
【００１４】
本発明によるパケット転送システムは、ネットワーク（１００）に接続され、ＰＡＮ識別アドレス（９１）を宛て先アドレスとして指定され、自身のアドレスである通信相手端末アドレスをソースアドレスとして指定されたパケットデータを、パケット転送装置（４）に送信する通信相手端末（６、６’）を更に具備する。
【００１５】
通信相手端末（６、６’）は、ネットワーク（２００）を介して前記ＰＡＮ登録装置に対し、セッション情報として、通信相手端末アドレスを送信し、ＰＡＮ登録装置（２）は、ＰＡＮ識別アドレス（９１）と、端末識別アドレス（９３）と、通信相手端末アドレスとを対応付けてＰＡＮ管理装置（３）に送信する。ＰＡＮ管理装置（３）は、ＰＡＮ識別アドレス（９１）と端末識別アドレス（９３）と通信相手端末アドレスとを対応付けたパケット転送規則を作成し、ネットワーク（２００）を介し、パケット転送装置（４）に送信する。
【００１６】
パケット転送装置（４）は、パケット転送規則（９０）を転送設定として参照し、ネットワーク（２００）を介して受信されるパケットデータの宛て先アドレスと一致するＰＡＮ識別アドレス（９１）とパケットデータのソースアドレスと一致する通信相手端末アドレスとに対応する端末識別アドレス（９３）に、宛て先アドレスを変換し、このＰＡＮ識別アドレス（９１）、通信相手端末アドレス及びペイロード情報（９５）に対応する通信リンク識別アドレス（９４）を宛て先アドレスに指定して、宛て先アドレスが変更されたパケットデータをカプセル化して、通信リンク識別アドレス（９４）に応じたリンクを介して第１の通信端末（１、１−１、１−２）に前記パケットデータを転送する。
【００１７】
又、ＰＡＮ（１００）に接続する第２の通信端末（１、１−３）を更に備え、第１の通信端末（１、１−１、１−２）は、リンク（３００）を介して受信されるカプセル化されたパケットデータをデカプセル化して宛て先アドレスを参照し、宛て先アドレスである端末識別アドレスに基づき、ＰＡＮ（１００）を介して第２の通信端末（１、１−３）にデカプセル化したパケットデータを転送する。
【００１８】
以上のように、ＰＡＮ（１００）内に存在する通信端末（１、１−１、１−２、１−３）に対して同時に複数の通信リンクを選択してパケット配送ができるパケット配送システムを実現する。
【発明の効果】
【００１９】
本発明によるパケット配送システム、ＰＡＮ登録装置、ＰＡＮ管理装置及びパケット転送装置によれば、パーソナルエリアネットワーク上の通信端末に対して複数の通信リンクを使用してパケットを配送できる。
【００２０】
又、アプリケーションに応じた通信リンクを使用してパーソナルエリアネットワーク上の通信端末にパケットを転送することができる。
【発明を実施するための最良の形態】
【００２１】
以下、添付図面を参照して、本発明によるパケット配送システムの実施の形態が説明される。
【００２２】
本発明によるパケット配送システムの実施の形態は、３Ｇセルラパケット通信網や、ホットスポット等から構成されるモバイルネットワーク２００から、モバイルネットワーク２００に複数の通信リンクを介して接続されるパーソナルエリアネットワーク（ＰＡＮ）１００上の通信端末１に対し、ストリーミングデータであるパケットデータを転送するパケット配送システムを一例に説明される。
【００２３】
（第１の実施の形態）
図３から図１５を参照して、本発明によるパケット配送システムの第１の実施の形態が説明される。
【００２４】
（構成）
図３を参照して、第１の実施の形態におけるパケット配送システムの構成が示される。本発明によるパケット配送システムは、パーソナルネットワーク（ＰＡＮ）１００と、ＰＡＮ１００に複数の通信リンクを介して接続されるモバイルネットワーク２００とを備える。モバイルネットワーク２００は、ＰＡＮ管理装置３とパケット転送装置４、ＳＩＰ（Ｓｅｓｓｉｏｎ  Ｉｎｉｓｉａｔｉｏｎ  Ｐｒｏｔｏｃｏｌ）サーバ５を備える。更に、ストリーミングデータを配信するデータ配信サーバ６と、３Ｇセルラ通信網に接続され、ＰＡＮ１００との間にＷ−ＣＤＭＡ通信リンク３００−１を形成する無線基地局（ＢＳ）７と、ホットスポットに接続され、ＰＡＮ１００との間にＷＬＡＮ通信リンク３００−２を形成するアクセスポイント（ＡＰ）８とを具備する。ＰＡＮ１００は、複数の通信端末１と、ＰＡＮ登録装置２とが、Ｂｌｕｅｔｏｏｔｈ、あるいは、ＵＳＢ等の近距離通信回線で相互に接続され、端末間で認証済みのプライベートネットワークである。ＰＡＮ１００は複数の通信端末１として、携帯電話１−１、ＰＤＡ１−２、ノートＰＣ１−３を備え、携帯電話１−１はＷ−ＣＤＭＡリンク３００−１を介し、ＰＤＡ１−２はＷＬＡＮ通信リンク３００−２を介しそれぞれモバイルネットワーク２００に接続される。又、ＰＡＮ登録装置は、ＷＬＡＮ通信リンク３００−２を介してモバイルネットワーク２００に接続される。
【００２５】
通信端末１は、携帯電話１−１、ＰＤＡ１−２、ノートＰＣ１−３等に代表される通信端末で、ＰＡＮ登録装置２から取得する端末識別アドレス９３と、通信リンク識別アドレス９４とを保持し、ＰＡＮ登録装置２に登録する。又、通信端末１は、他の通信端末１との接続インターフェース（ＰＡＮ用のインターフェース）と、モバイルネットワーク２００との接続インターフェースを持つ。尚、通信端末１は、例えば図３に示されるノートＰＣ１−３のように、モバイルネットワーク２００との接続インターフェースを持つ他の通信端末とＰＡＮを介して接続できれば、モバイルネットワーク２００との接続インターフェースを持たなくても構わない。
【００２６】
図４を参照して、本発明によるＰＡＮ登録装置２の構成が示される。本発明によるＰＡＮ登録装置２は、ＣＰＵ２１、メモリ２２、メモリ等の記憶装置に記憶されたＰＡＮ登録エージェント２３、送受信部２４、パーソナルエリアネットワークインターフェース（ＰＡＮ  Ｉ／Ｆ）２５、無線ＬＡＮインターフェース（ＷＬＡＮ  Ｉ／Ｆ）２６、ハードディスク又はメモリ等の記憶装置に格納されるＰＡＮ情報Ｄ／Ｂ２７とを具備し、相互に通信バスで接続されている。又、ＰＡＮ  Ｉ／Ｆ２５は、ＰＡＮ用空中線２５０に接続され、ＰＡＮ登録装置２はＰＡＮ用空中線２５０を介してＰＡＮ１００上の通信端末１に接続される。ＷＬＡＮ  Ｉ／Ｆ２６は、ＷＬＡＮ用空中線２６０に接続され、モバイルネットワーク２００に接続される。
【００２７】
ＣＰＵ２１は、ＰＡＮ登録エージェント２３における処理を実行する。又、ＰＡＮ登録装置２における各種データや信号の処理を行なう。メモリ２２は、ＣＰＵ２１における各処理を実行する際のデータを一時記憶する。ＰＡＮ登録エージェント２３は、ＰＡＮ登録部２３１、端末登録部２３２、転送処理部２３３、セッション処理部２３４とを備える。ＰＡＮ登録部２３１は、新しくＰＡＮを形成する際、又は、モバイルネットワーク２００に新たに接続する際、モバイルネットワーク２００上のＰＡＮ管理装置３に対しＰＡＮ登録要請を発行し、当該ＰＡＮに割り当てられたＰＡＮ識別アドレス９１を取得して、ＰＡＮ１００を識別するＰＡＮ識別子９２とＰＡＮ識別アドレス９１とを対応付けてＰＡＮ情報Ｄ／Ｂ２７に格納する。端末登録部２３２は、ＰＡＮ１００に接続した通信端末１からのＰＡＮ加入要請に応じて端末識別アドレス９３を割り当て、通信端末１から受信される端末識別アドレス９３をＰＡＮ情報Ｄ／Ｂ２７に格納し通信端末１をＰＡＮ加入登録する。この際、通信端末１が、モバイルネットワーク２００に接続可能である場合、モバイルネットワーク２００との接続インターフェースに割り当てられているアドレス（通信リンク識別アドレス９４）及び通信リンク種別も同様に通信端末１から受信し、端末識別アドレス９３に対応付けてＰＡＮ情報Ｄ／Ｂ２７に格納する。転送処理部２３３は、ＰＡＮ管理装置３に対し、端末識別アドレス９３と通信リンクアドレスと通信リンク種別とを対応付けるためのパケット転送要求を発行する。セッション処理部２３４は、ＳＩＰサーバ５に対しセッション確立要求やセッション切断要求を発行し、モバイルネットワーク２００に接続されるデータ配信サーバ６等のサーバとのセッション確立、切断処理を実行する。この際、ＰＡＮ登録装置２は、ＳＩＰ−ＵＲＩのようなサービス識別子とＰＡＮ登録装置のＩＰアドレスの対応関係を登録している状態になっている。
【００２８】
送受信部２４はＰＡＮ  Ｉ／Ｆ２５及びＷＬＡＮ  Ｉ／Ｆ２６に接続され、それぞれを介してモバイルネットワーク２００及び通信端末１との間でデータや信号の送受信処理を実行する。本実施例におけるＰＡＮ  Ｉ／Ｆ２５は、Ｂｌｕｅｔｏｏｔｈインターフェースであり、送受信部２４又は、ＰＡＮ用空中線２５０を介して通信端末１から受信されるデータや信号の形式を変更する。尚、ＰＡＮ  Ｉ／Ｆ２５にはＵＳＢインターフェース等を用いて、有線回線を介して通信端末１と接続してＰＡＮを形成しても構わない。ＷＬＡＮ  Ｉ／Ｆ２６は、無線ＬＡＮインターウェースであり、送受信部２３又はモバイルネットワーク２００から受信されるデータや信号の形式を変更する。
【００２９】
ＰＡＮ情報Ｄ／Ｂ２７はＰＡＮ登録エージェント２３によって登録されるＰＡＮ情報を格納する。図７を参照して、ＰＡＮ情報は、モバイルネットワーク２００から受信されるＰＡＮ識別子９２とＰＡＮ識別アドレス９１が対応付けられる。又、ＰＡＮ１００上の通信端末１に割り当てた端末識別アドレス９３と、通信端末１から受信される通信リンク識別アドレス９４及び通信リンク種別が対応付けられる。ＰＡＮ識別アドレス９１、端末識別アドレス９３、通信リンク識別アドレス９４はＩＰアドレスである。又、端末識別アドレス９３はＰＡＮ１００の中でのみ使えるプライベートＩＰアドレスでも良い。ＰＡＮ識別アドレス９１はＰＡＮ宛のパケットをパケット転送装置４に転送するためのアドレスである。図７（ａ）を参照して、例えば、携帯電話１−１、ＰＤＡ１−２、ノートＰＣ１−３、…に接続されるＰＡＮ１００のＰＡＮ識別情報が示される。ＰＡＮ１００のＰＡＮ識別子９２はＰＡＮ  Ａ、ＰＡＮ識別アドレス９１はＩＰ＿ＰＡＮ＃Ａである。携帯電話１−１、ＰＤＡ１−２、ノートＰＣ１−３の端末識別アドレス９３は、それぞれＩＰｈａ＃１１１、ＩＰｈａ＃１１２、ＩＰｈａ＃１１３である。又、それぞれの接続可能な通信リンク種別は、携帯電話１−１がＷ−ＣＤＭＡ、ＰＤＡ１−２がＷＬＡＮであり、通信リンク識別アドレス９４は、それぞれ、ＩＰｒａ＃１１１、ＩＰｒａ＃１１２が対応している。モバイルネットワーク２００に接続する手段を持たないノートＰＣ１−３は、通信リンク識別アドレス９４、通信リンク種別ともにＮｕｌｌとなる。図７（ｂ）を参照して、複数の通信リンクによってモバイルネットワーク２００に接続できる通信端末１が接続するＰＡＮ１００（ＰＡＮ  Ｂ）のＰＡＮ情報が示される。例えば、端末識別アドレス９３としてＩＰｈａ＃１１４が割り当てられた通信端末１が、Ｗ−ＣＤＭＡとＷＬＡＮの２種類の通信手段でモバイルネットワーク２００に接続できる場合、通信リンク種別はＷ−ＣＤＭＡとＷＬＡＮ、通信リンク識別アドレス９４はＩＰｒａ＃１１４とＩＰｒａ＃１１５がそれぞれ対応付けられる。図７（ｃ）を参照して、ＰＡＮ１００上の通信端末１に割り当てられる端末識別アドレス９３は、Ｈｏｍｅ  Ａｄｄｒｅｓｓ（例えばＨｏＡ＃ｘ）、通信リンク識別アドレス９４は、Ｃａｒｅ  ｏｆ  Ａｄｄｒｅｓｓ（例えばＣｏＡ＃ｘ）でも良い。
【００３０】
本発明によるＰＡＮ管理装置３は、モバイルネットワーク２００に接続するＰＡＮを登録管理し、パケット転送規則９０を作成する。図５を参照して、ＰＡＮ管理装置３の構成は、ＣＰＵ３１、メモリ３２、メモリやハードディスク等の記憶装置に記憶されたＰＡＮ管理プログラム３３、送受信部３４、ネットワークインターフェース（ネットワークＩ／Ｆ）１４、記憶装置４６とを具備し、相互に通信バスで接続されている。記憶装置４６は、ＰＡＮ識別子９２とＰＡＮ識別アドレス９１を格納するＰＡＮ情報データベース（ＰＡＮ情報Ｄ／Ｂ）３６１とパケット転送規則９０を格納するパケット転送規則９０データベース（パケット転送Ｄ／Ｂ）３６２を備えている。
【００３１】
ＣＰＵ３１は、ＰＡＮ管理プログラム３３における処理を実行する。又、ＰＡＮ管理装置３における各種データや信号の処理を行なう。メモリ３２は、ＣＰＵ２１における各処理を実行する際のデータを一時記憶する。ＰＡＮ管理プログラム３３は、ＰＡＮ登録部３３１と転送規則作成部２３２とを備える。ＰＡＮ登録部３３１は、ＰＡＮ１００上のＰＡＮ登録装置２からのＰＡＮ登録要求に応じてＰＡＮ識別子９２とＰＡＮ識別アドレス９１とをＰＡＮ情報Ｄ／Ｂ３６１から抽出し、ＰＡＮ登録装置２に送信して割り当てる。又、ＰＡＮ登録装置２から受信されるＰＡＮ識別子９２及びＰＡＮ識別アドレス９１をＰＡＮ情報Ｄ／Ｂ３６１に格納して登録する。パケット転送規則作成部３３２は、ＰＡＮ登録装置２からのパケット転送要求に応じてパケット転送規則９０を作成し、パケット転送規則Ｄ／Ｂ３６２に格納するとともに、パケット転送装置４に送信する。送受信部３４は、ネットワークＩ／Ｆ３５を介してモバイルネットワーク２００に接続される各装置との間のデータや信号の送信受信処理を実行する。
【００３２】
本発明によるパケット転送装置４は、モバイルネットワーク２００に接続され、パケットデータを配信するデータ配信サーバ６から送信されるパケットデータを、そのパケットデータのメディアに応じた通信リンクを介してＰＡＮ１００上の通信端末１に転送する装置である。
【００３３】
図６を参照して、パケット転送装置４の構成は、ＣＰＵ４１、メモリ４２、メモリやハードディスク等の記憶装置に記憶されたパケット転送プログラム４３、送受信部４４、Ｗ−ＣＤＭＡインターフェース（Ｗ−ＣＤＭＡ  Ｉ／Ｆ）４５、ＷＬＡＮインターフェース（ＷＬＡＮ  Ｉ／Ｆ）４６、ネットワークインターフェース（ネットワークＩ／Ｆ）４７、メモリやハードディスク等の記憶装置に記憶された転送設定データベース（転送設定Ｄ／Ｂ）４８とを具備し、相互に通信バスで接続されている。
【００３４】
ＣＰＵ４１は、パケット転送プログラム４３における処理を実行する。又、パケット転送装置４における各種データや信号の処理を行なう。パケット転送プログラム４３は、転送設定部４３１と転送処理部４３２とを備える。転送設定部４３１は、ＰＡＮ登録装置３からのパケット転送設定要求に応じて、受信されるパケット転送規則９０を、転送設定として決定し転送設定Ｄ／Ｂ４８に格納する。転送処理部４３２は、データ配信サーバ６から受信されるパケットデータを、転送設定Ｄ／Ｂ４８内の転送設定に基づき、通信リンク識別アドレス９４でカプセル化して、ＰＡＮ１００上の通信端末１に転送する。送受信部４４は、パケット転送装置４の外部装置に対するデータ及び信号の送受信を処理する。又、転送処理部４３２でカプセル化されたパケットデータを、そのデスティネーションアドレス（ＤＡ）に基づき、インターフェースを選択してＰＡＮ１００上の通信端末１にパケットを転送する。Ｗ−ＣＤＭＡ  Ｉ／Ｆ４５は、３Ｇセルラ網等を経由してＢＳ７に接続され、データや信号形式を変更して通信端末１（例えば携帯電話１−１）との間の送受信を行なう。ＷＬＡＮ  Ｉ／Ｆ４６はホットスポット等を経由してＡＰ８に接続され、データや信号形式を変更して通信端末１（例えばＰＤＡ１−２）との間の送受信を行なう。
【００３５】
図８を参照して、パケット転送規則９０の構成が示される。パケット転送規則９０は、宛て先ＰＡＮ識別アドレス、送信元ＩＰアドレス、送信元ポート番号及びフロー情報とが対応付けられて構成される。フロー情報は、パケットデータの配信先の端末識別アドレス９３である配信先端末識別アドレスと、パケット転送装置４がパケットを転送する転送先の通信端末１の通信リンク識別アドレス９４と、そのポート番号と、転送に使用する通信リンクを決定するために用いるメディア情報９５を含んでいる。メディア情報９５には、パケットデータのメディア種別（例えば音声データ、動画データ）、ポート番号、トランスポートプロトコル、メディアフォーマットリストが含まれている。
【００３６】
ＳＩＰサーバ５は、例えば、Ｅｎｄ  ｔｏ  Ｅｎｄのセッションを管理するためのサーバで、例えばＳｅｓｓｉｏｎ  Ｉｎｉｔｉａｔｉｏｎ  Ｐｒｏｔｏｃｏｌ（ＳＩＰ）を用いて、セッション確立や切断などのセッション制御を行なう。ＳＩＰサーバ５には、セッション識別子であるＳＩＰ−ＵＲＩに対応するアドレスにＰＡＮ登録装置２やデータ配信サーバ５のＩＰアドレスが登録されている。
【００３７】
データ配信サーバ６は例えば、ＲＴＰ（Ｒｅａｌ−ｔｉｍｅ  Ｔｒａｎｓｐｏｒｔ  Ｐｒｏｔｏｃｏｌ）を使用して、ストリーミング配信を行なうサーバである。
【００３８】
（動作）
図９から図１６を参照して、本発明によるパケット配送システムの第１の実施の形態における動作が説明される。本実施の形態では、ＰＡＮ１００上のノートＰＣ１−３に対して、複数の通信リンク３００を介してデータ配信サーバ６から動画データと音声データが配信されることを一例に、本発明によるパケット配送システムの動作が説明される。又、本説明では、ＰＡＮの登録、ＰＡＮへの端末の加入、通信開始及びパケット転送の４つに動作に分けられて説明される。
【００３９】
（ＰＡＮ登録処理）
図９及び図１０を参照して、本発明によるパケット配送システムのＰＡＮ登録処理の動作が説明される。
【００４０】
図９を参照して、ＰＡＮ登録処理のブロック図が示される。ＰＡＮ登録装置２は、図９の破線Ａに示されるように新たにＰＡＮ１００を形成した場合、あるいは、ＰＡＮ１００の移動により、モバイルネットワーク２００からモバイルネットワーク広告を受け付けた場合、ＰＡＮ管理装置３にＰＡＮ登録を実行する。
【００４１】
図１０（ａ）を参照して、ＰＡＮ登録処理の動作が説明される。ＰＡＮ１００を新たに形成する場合、ＰＡＮ登録装置２のＰＡＮ登録部２３１は、ＷＬＡＮ通信リンク３００−２を介してモバイルネットワーク２００上のＰＡＮ管理装置３に接続し、ＰＡＮ管理装置３に対しＰＡＮ登録装置２のＩＰアドレスを送信するとともに、ＰＡＮ登録要求を発行する（ステップＳ２）。ＰＡＮ管理装置３のＰＡＮ登録部３３１は、ＰＡＮ登録要求を受け付けるとＰＡＮ情報Ｄ／Ｂ３６１内のＰＡＮ識別子９２とＰＡＮ識別アドレス９１を、新たに登録するＰＡＮ１００に割り当て、対応付けて登録する（ステップＳ４）。次に、そのＰＡＮ識別子９２とＰＡＮ識別アドレス９１をＰＡＮ情報Ｄ／Ｂから抽出し、ＰＡＮ登録装置２のＩＰアドレス宛てに送信するとともにＰＡＮ登録応答を発行する（ステップＳ６）。ＰＡＮ登録装置２の登録部２３１、ＰＡＮ登録応答を受け付けると、受信されるＰＡＮ識別子９２とＰＡＮ識別アドレス９１をＰＡＮ情報Ｄ／Ｂ２７に格納し登録が完了する（ステップＳ７）。
【００４２】
（ＰＡＮ１００への端末の加入処理）
図９及び図１０を参照して、本発明によるパケット配送システムのＰＡＮ１００ヘの端末の加入処理の動作が説明される。
【００４３】
図９を参照して、ＰＡＮ１００への通信端末の加入処理のブロック図が示される。ＰＡＮ登録装置２は、図９の破線Ｂに示されるように、新たに通信端末１がＰＡＮ１００に接続する場合、ＰＡＮ登録装置２は、通信端末１を加入登録する。
【００４４】
図１０（ｂ）を参照して、ＰＡＮ１００への端末加入処理の動作が説明される。ＰＡＮ登録装置２の端末登録部２３２は、ＰＡＮ１００に対しＰＡＮ識別子９２を添えたＰＡＮ広告を送信する（ステップＳ８）。ＰＡＮのエリア内に入場、あるいは、電源ＯＮにより新規にＰＡＮ１００に接続する通信端末１は、ＰＡＮ広告を受信する。ＰＡＮ広告を受け付けた通信端末１は、ＰＡＮ１に加入するために、ＰＡＮ登録装置２に対してＰＡＮ加入要求を発行する（ステップ１０）。ＰＡＮ登録装置２の端末登録部２３２は、ＰＡＮ加入要求を受け付けるとすると、ＰＡＮ情報Ｄ／Ｂ２７内から端末識別アドレス９３を割り当て、ＰＡＮ識別子９２とともに通信端末１に対して送信する（ステップＳ１２）。通信端末１はＰＡＮ登録装置２から受信される端末識別アドレス９３とＰＡＮ識別子９２を記録し、ＰＡＮ登録装置２に、その端末識別アドレス９３とＰＡＮ識別子９２を送信して登録を行なう（ステップＳ１４）。この際、通信端末１はモバイルネットワーク２００と接続可能であれば、モバイルネットワーク２００との接続インターフェースに割り当てられているアドレスである通信リンク識別アドレス９４と通信リンク種別も同様にＰＡＮ登録装置２に送信する。ＰＡＮ登録装置２の端末登録部２３２は、通信端末１から受信されるＰＡＮ識別子を確認し、自身のＰＡＮ識別子と一致する場合、その端末識別アドレス９３と、通信リンク識別アドレス９４と、通信リンク種別を関連付けてＰＡＮ情報としてＰＡＮ情報Ｄ／Ｂ２７に格納する（ステップＳ１６）。
【００４５】
以上のように、ＰＡＮ登録装置２は、モバイルネットワーク２００上のＰＡＮ管理装置３にＰＡＮ登録し、ＰＡＮ１００に接続される通信端末１を加入登録させる。このようにして、ＰＡＮ登録エージェント２３は、図７（ａ）に示されるようなＰＡＮ情報を作成する。尚、通信端末１と、端末識別アドレス９３、通信リンク識別アドレス９４及び使用可能通信リンク種別との対応は、携帯端末１−１が「ＩＰｈａ＃１１１、ＩＰｒａ＃１１１、Ｗ−ＣＤＭＡ」、ＰＤＡ１−２が「ＩＰｈａ＃１１２、ＩＰｒａ＃１１２、ＷＬＡＮ」、ノートＰＣ１−３が「ＩＰｈａ＃１１２、なし、使用可能通信リンクなし」と対応している。
【００４６】
（通信開始）
次に、図１１、図１２Ａ及び図１２Ｂを参照して、本発明によるパケット配送システムの通信開始処理（セッション確立処理及びパケット転送設定の作成処理）の動作が説明される。図１１にデータ配信サーバ６とＰＡＮ１００との間のセッション確立処理、及びモバイルネットワーク２００におけるパケット転送設定の作成処理にかかるブロック図が示される。図１２Ａ及び図１２Ｂは、セッション確立処理及びパケット転送設定作成処理のシーケンス図である。
【００４７】
先ず、ＰＡＮ登録装置２のセッション処理部２３４は、データ配信サーバ６から動画データや音声データで構成されるストリーミングデータをノートＰＣ１−３で受信するため、ストリーミングデータの配送先のＩＰアドレスとしてＰＡＮ識別アドレス９１を指定し、更に受信可能なメディア情報９５やポート番号を指定して、セッション確立要求をＳＩＰサーバ５に送信する。この際、セッション確立要求には、例えば、送信するＰＡＮ識別アドレス９１として「ＩＰ＿＃Ａ」が、受信可能なメディア情報９５として「動画データ及び音声データ」が、ポート番号として「携帯電話１−１のポート番号（３４５６）、ＰＤＡ１−２のポート番号（２２３２）」が指定され、サービス識別子が含まれている（ステップＳ２０）。ＳＩＰサーバ５は、セッション確立要求を受け付けると、セッション確立要求に含まれるサービス識別子に対応するＩＰアドレスに従い、このセッション確立要求を、データ配信サーバ６へ転送する（ステップＳ２２）。
【００４８】
データ配信サーバ６はセッション確立要求を受信すると、データ配信サーバ６が対応しているメディア情報９５やポート番号、ストリーミングデータの配信元であるデータ配信サーバ６のＩＰアドレスを記したセッション情報、及びサービス識別子を付加したセッション情報メッセージを、ＳＩＰサーバ５に送信する（ステップＳ２４）。これらセッション確立のためのメッセージにはＳＤＰ（Ｓｅｓｓｉｏｎ  Ｄｅｓｃｒｉｐｔｉｏｎ  Ｐｒｏｔｏｃｏｌ）により記載されているセッション情報が含まれる。送信されるセッション情報メッセージは、例えば、データ配信サーバ６が対応しているメディア情報９５として「動画データ及び音声データ」、対応ポート番号として「３４５６、２２３４」、ストリーミングデータの配信元のデータ配信サーバ６のＩＰアドレス「ＩＰｄａ＃１５０」である。データ配信サーバ６からＰＡＮ登録装置２に送信されるセッション情報メッセージの一例が図１３に示される。セッション情報にはメディア種別、ポート番号、トランスポートプロトコル、メディアフォーマットリストが記載される。”Ｍ  ＝  ａｕｄｉｏ  ３４５６  ＲＴＰ／ＡＶＰ  ０”及び”Ｍ  ＝  Ｖｉｄｅｏ  ２２３２  ＲＴＰ／ＡＶＰ  ３１”の記述はメディア情報９５を示しており、左からメディア種別、ポート番号、トランスポートプロトコル、メディアフォーマットリストが記載される。”Ｍ  ＝  ａｕｄｉｏ  ３４５６  ＲＴＰ／ＡＶＰ  ０”には、ポート番号として３４５６を、トランスポートプロトコルとしてＲＴＰ（Ｒｅａｌｔｉｍｅ  Ｔｒａｎｓｐｏｒｔ  Ｐｒｏｔｏｃｏｌ）及びＡＶＰを使用し、ＰＣＭ（Ｐｕｌｓｅ  Ｃｏｄｅ  Ｍｏｄｕｌａｔｉｏｎ）で変換された音声データを使用することが示され、”Ｍ  ＝  Ｖｉｄｅｏ  ２２３２  ＲＴＰ／ＡＶＰ  ３１”にはポート番号として２２３２を、トランスポートプロトコルとしてＲＴＰ及びＡＶＰを使用し、Ｈ．２６１で符号化された画像データを送信することが示されている。尚、トランスポートプロトコルや符号化方式は、この限りではない。ＳＩＰサーバ５は、サービス識別子に対応するＩＰアドレスに従い、受信されたセッション情報メッセージをＰＡＮ登録装置２に送信する（ステップＳ２６）。
【００４９】
ＰＡＮ登録装置２のセッション処理部２３４は、セッション情報メッセージを受信すると、ストリーミングデータの配信に使用するメディア情報９５や配信先のポート番号、ＩＰアドレスを決定し（ステップＳ２８）、ＳＩＰサーバ５を介してデータ配信サーバ６に対してセッション情報確認要求を発行する（ステップＳ３０、Ｓ３２）。
【００５０】
ＰＡＮ登録装置２のパケット転送処理部２３３はセッション情報確認要求を送信するとともに、ＰＡＮ管理装置３に対して、パケット転送要求を発行する（ステップＳ３４）。パケット転送要求には、セッションに含まれるフロー毎の、送信元と宛先の通信を行なう端末のＩＰアドレスやポート番号を記したフロー情報と、使用する通信リンク識別アドレス９４、トランスポートプロトコル及びメディアフォーマットリストが対応付けられて付加される。ＰＡＮ管理装置３の転送規則作成部３３２はパケット転送要求を受信すると、パケット転送要求に含まれる情報からフロー毎に、ストリーミング配信の宛先アドレスであるＰＡＮ識別アドレス９１と、パケットデータの配送元のデータ配信サーバ６のＩＰアドレス及びポート番号と、パケットデータの配送先の端末識別アドレス９３と、パケット転送に使用する通信リンク識別アドレス９４及びポート番号と、トランスポートプロトコル及びメディアフォーマットリストを含むメディア情報９５とを対応付けたパケット転送規則９０を作成する（ステップＳ３６）。図８を参照して、パケット転送規則９０は、例えば、宛先ＰＡＮ識別アドレスとして「ＩＰ＿ＰＡＮ＃Ａ」、配送元ＩＰアドレスとして「ＩＰｄａ＃１５０」、配送元ポート番号として「１２３４」、配送先端末識別アドレスとしてノートＰＣ１−３の「ＩＰｈａ＃１１３」が対応付けられ、更に、パケット転送に使用する通信リンク識別アドレス９４及びポート番号として携帯電話１−１の「ＩＰｒａ＃１１１、３４５６」と、ＰＤＡ１−２の「ＩＰｒａ＃１１２」を含み、それぞれに対応するメディア情報９５としてペイロードタイプ「０」、「３１」が対応付けられる。転送規則作成部３３２は、作成した転送規則を含むパケット転送設定要求をパケット転送装置４に発行する（ステップＳ３８）。パケット転送装置４の転送設定部４３１は、ＰＡＮ管理装置３から受信されるパケット設定要求に含まれるパケット転送規則９０を転送設定Ｄ／Ｂ４８に格納し、転送設定として登録する（ステップＳ４０）。転送設定部４３１は、転送設定を完了すると転送設定応答をＰＡＮ管理装置３に発行する（ステップＳ４２）。ＰＡＮ管理装置３の転送規則作成部３３２は、転送設定応答を受信すると、ＰＡＮ登録装置２にパケット転送応答を発行する（ステップＳ４４）。
【００５１】
データ配信サーバ６は、ステップＳ３２において、セッション情報確認要求を受信すると、セッション情報確認要求に含まれるセッション情報を登録して、ＳＩＰサーバ５を介しＰＡＮ登録装置２に対しセッション情報確認応答を発行する（ステップＳ４８）。ＰＡＮ登録装置２のセッション処理部２３４はセッション情報確認応答を受け付けると、ＰＡＮ管理装置３から受信されるパケット転送応答によりパケット転送設定が完了していることを確認した後に、通信路設定確認要求をＳＩＰサーバ５を介してデータ配信サーバ６に対し発行する（ステップＳ５４）。データ配信サーバ６は通信路設定確認要求を受け付けて自身の通信路の設定が完了していることを確認し、通信路設定確認応答を、ＳＩＰサーバ５を介しＰＡＮ登録装置２に対し発行する（ステップＳ５６）。データ配信サーバ６は、セッション確立応答をＳＩＰサーバ５を介しＰＡＮ登録装置２に対し発行し、セッション確立を完了する（ステップＳ５４）。
【００５２】
（パケット転送処理）
次に、図１４から図１６を参照して、データ配信サーバ６から動画データ及び音声データを含むパケットデータをノートＰＣ１−３にストリーミング配信する際のパケット転送が説明される。
【００５３】
図１４を参照して、本発明によるパケット配送システムのパケット転送動作におけるパケットデータの流れが示される。データ配信サーバ６から配信されたパケットデータは、そのメディア情報９５に対応した通信リンクを使用し、通信リンクに接続された通信端末１経由で配信先の通信端末１にパケットが転送される。
【００５４】
図１５を参照して、本発明によるパケット配送システムの第１の実施の形態におけるパケット転送処理のシーケンス図が示される。データ配信サーバ６は、図１６（ａ）に示されるように、デスティネーションアドレスにＰＡＮ識別アドレス９１（例えば、ＩＰ＿ＰＡＮ＃Ａ）を、ソースアドレスにデータ配信サーバ６のＩＰアドレス（例えばＩＰｄａ＃１５０）を指定したパケットデータを、パケット転送装置４に送信する（ステップＳ７０）。パケット転送装置４の転送処理部４３２は、データ配信サーバ６からのパケットデータを受信すると、パケットデータのソースアドレスとデスティネーションアドレスとポート番号を参照し、転送設定に登録されている送信元ＩＰアドレス、宛先ＰＡＮ識別アドレス、送信元ポート番号と一致する場合、宛先ＰＡＮ識別アドレス（ＩＰ＿ＰＡＮ＃Ａ）に対応する配信先端末識別アドレス（ＩＰｒａ＃１１３（ノートＰＣ１−３））に、デスティネーションアドレスを変換する（ステップＳ７２）。次に転送処理部４３２は、パケットデータのＲＴＰヘッダにあるペイロードタイプを参照してパケットデータのメディア情報９５を識別し、それぞれのメディア情報９５に対応する通信リンク識別アドレス９４とポート番号やトランスポートプロトコルを選択し、ソースアドレスにパケット転送装置自身のＩＰアドレスを指定し、デスティネーションアドレスに選択した通信リンクアドレスを指定してカプセル化する（図１６（ｂ）参照、ステップＳ７４）。カプセル化されたパケットデータは、それぞれのデスティネーションアドレス及びポート番号に対応する通信リンクを介して転送される（ステップＳ７６、Ｓ７７）。例えば、転送処理部４３２は、パケットデータのペイロードタイプが０である場合、音声データと識別し、音声データに対応する通信リンクアドレス（ＩＰｒａ＃１１１（携帯電話１−１））をデスティネーションアドレスに指定して、パケットデータをカプセル化し（ステップＳ７４）、Ｗ−ＣＤＭＡリンク３００−１を介して携帯電話１−１に転送する（ステップＳ７６）。又、ペイロードタイプが３１の場合、パケットデータは動画データと識別され、動画データに対応する通信リンクアドレス（ＩＰｒａ＃１１２（ＰＤＡ１−２））をデスティネーションアドレスに指定して、パケットデータをカプセル化し（ステップＳ７４）、ＷＬＡＮリンク３００−２を介してＰＤＡ１−２に転送する（ステップＳ７７）。携帯電話１−１はカプセル化された音声パケットを受信すると、デカプセル化し（図１６（ｃ）参照）、宛先ＩＰアドレス（ＩＰｒａ＃１１３）に従い、ノートＰＣ１１３に音声パケットを転送する（ステップＳ７８）。又、ＰＤＡ１−２はカプセル化された動画パケットを受信すると、デカプセル化し（図１６（ｃ）参照）、宛先ＩＰアドレス（ＩＰｒａ＃１１３）に従い、ノートＰＣ１１３に動画パケットを転送する（ステップＳ７９）。
【００５５】
以上のように、本発明によるパケット配送システムは、ＰＡＮ内に存在する１台の通信端末に対して同時に複数の通信リンクを選択してパケット配送ができる。又、パケットデータのメディアに適した通信リンクを選択して、パケットを転送することができる。更に、パケットデータを配信するデータ配信サーバ６は、宛て先にＰＡＮ１００固有のＰＡＮ識別アドレス９１を指定してパケットデータを送信するため、データの配送先を意識しないデータ配信が可能となる。
【００５６】
（第２の実施の形態）
図３から図１０、図１７及び図１８を参照して、本発明によるパケット配送システムの第２の実施の形態が示される。
【００５７】
（構成）
図３から図６を参照して、本発明によるパケット配送システムの第２の実施の形態における構成は、第１の実施の形態におけるデータ配信サーバ６に換えて、通信相手先端末６’とし、その他の構成は同じである。通信相手端末６’は、例えばＩＰ電話端末やＰＣのような端末装置である。第２の実施の形態では、モバイルネットワーク２００に接続された通信相手６’から、例えば、携帯電話１−１（端末識別アドレス９３  ＩＰｈａ＃１１１）に対しセッション確立要求が発行され、セッションを確立してパケットデータが配送されることを一例に説明される。
【００５８】
（動作）
図９及び図１０、図１７及び図１８を参照して、本発明によるパケット配送システムの第２の実施の形態における動作が説明される。本説明では、ＰＡＮの登録、ＰＡＮへの端末の加入、通信開始及びパケット転送の４つに動作に分けられて説明される。
【００５９】
（ＰＡＮの登録及びＰＡＮへの端末加入処理）
図９及び図１０を参照して、第２の実施の形態におけるＰＡＮ登録処理及びＰＡＮ１００への端末の加入処理は、第１の実施の形態と同じであるので説明は省略される。尚、ここでは、図７（ａ）に示されるようなＰＡＮ情報がＰＡＮ登録装置２のＰＡＮ情報Ｄ／Ｂ２７に登録される。
【００６０】
（通信開始）
図１７を参照して、第２の実施の形態における通信開始処理の動作が説明される。先ず、通信相手端末６’は、セッション確立要求をＳＩＰサーバに対し発行する（ステップＳ１０２）。ＳＩＰサーバ５は、セッション確立要求を受信すると、セッション確立要求に含まれるサービス識別子に対応するＩＰアドレスに従い、ＰＡＮ登録装置２へ転送する（ステップＳ１０４）。
【００６１】
ＰＡＮ登録装置２のセッション処理部２３４はセッション確立要求を受信すると、セッションに含まれるフロー毎にパケットの配送元である通信相手端末６’のＩＰアドレスとポート番号、パケットの配送先の通信端末の端末識別アドレス９３とポート番号及び通信リンク種別を付加したパケット転送要求をＰＡＮ管理装置３に送信する（ステップＳ１０６）。この際、例えば、配送元アドレスとして「ＩＰｄａ＃１５１」、配送元ポート番号として「１２３５」、配送先端末識別アドレス９３として「ＩＰｈａ＃１１１」、ポート番号として「３４５６」、通信リンク種別としてＷ−ＣＤＭＡが付加される。ＰＡＮ管理装置３の転送規則作成部３３２はパケット転送要求を受信すると、パケット転送要求に含まれる情報からフロー毎に、ストリーミング配信の宛先アドレスであるＰＡＮ識別アドレス９１と、パケットデータの配送元のデータ配信サーバ６のＩＰアドレス及びポート番号と、パケットデータの配送先の端末識別アドレス９３と、パケット転送に使用する通信リンク識別アドレス９４及びポート番号と、トランスポートプロトコル及びメディアフォーマットリストを含むメディア情報９５とを対応付けたパケット転送規則９０を作成する（ステップＳ１０８）。図８を参照して、パケット転送規則９０は、例えば、宛先ＰＡＮ識別アドレスとして「ＩＰ＿ＰＡＮ＃Ａ」、配送元ＩＰアドレスとして「ＩＰｄａ＃１５１」、配送元ポート番号として「１２３５」、配送先端末識別アドレスとして携帯電話１−１の「ＩＰｈａ＃１１１」が対応付けられ、更に、パケット転送に使用する通信リンク識別アドレス９４及びポート番号として携帯電話１−１の「ＩＰｒａ＃１１１、３４５６」に対応するメディア情報９５としてペイロードタイプ「０」が対応付けられる。転送規則作成部３３２は、作成した転送規則を含むパケット転送設定要求をパケット転送装置４に発行する（ステップＳ１１０）。パケット転送装置４の転送設定部４３１は、ＰＡＮ管理装置３から受信されるパケット設定要求に含まれるパケット転送規則９０を転送設定Ｄ／Ｂ４８に格納し、転送設定として登録する（ステップＳ１１２）。転送設定部４３１は、転送設定を完了すると転送設定応答をＰＡＮ管理装置３に発行する（ステップＳ１１６）。ＰＡＮ管理装置３の転送規則作成部３３２は、転送設定応答を受信すると、ＰＡＮ登録装置２にパケット転送応答を発行する（ステップＳ１１６）。
【００６２】
ＰＡＮ登録装置２のセッション処理部２３４は、パケット転送応答を受信すると、パケットの配送先をＰＡＮ識別アドレス９１に指定しＳＩＰサーバ５を介し通信相手端末６’に対しセッション情報確立応答を発行し、セッション確立を完了する（ステップＳ１１８）。
（パケット転送処理）
【００６３】
図１８を参照して、本発明によるパケット配送システムの第２の実施の形態におけるパケット転送処理のシーケンス図が示される。通信相手端末６’は、図１６（ａ）に示されるように、デスティネーションアドレスにＰＡＮ識別アドレス９１（例えば、ＩＰ＿ＰＡＮ＃Ａ）を、ソースアドレスに通信相手端末６’のＩＰアドレス（例えばＩＰｄａ＃１５１）を指定したパケットデータを、パケット転送装置４に送信する（ステップＳ１３０）。パケット転送装置４の転送処理部４３２は、通信相手端末６’からのパケットデータを受信すると、パケットデータのソースアドレスとデスティネーションアドレスとポート番号を参照し、転送設定に登録されている送信元ＩＰアドレス、宛先ＰＡＮ識別アドレス、送信元ポート番号と一致する場合、宛先ＰＡＮ識別アドレス（ＩＰ＿ＰＡＮ＃Ａ）に対応する配信先端末識別アドレス（ＩＰｒａ＃１１１（携帯端末１−１））に、デスティネーションアドレスを変換する（ステップＳ１３２）。次に転送処理部４３２は、パケットデータのＲＴＰヘッダにあるペイロードタイプを参照してパケットデータのメディア情報９５を識別し、それぞれのメディア情報９５に対応する通信リンク識別アドレス９４とポート番号やトランスポートプロトコルを選択し、ソースアドレスにパケット転送装置自身のＩＰアドレスを指定し、デスティネーションアドレスに選択した通信リンクアドレスを指定してカプセル化する（図１６（ｂ）参照）。カプセル化されたパケットデータは、それぞれのデスティネーションアドレス及びポート番号に対応する通信リンクを介して転送される（ステップＳ１３４）。例えば、転送処理部４３２は、パケットデータのペイロードタイプが０である場合、音声データと識別し、音声データに対応する通信リンクアドレス（ＩＰｒａ＃１１１（携帯電話１−１））をデスティネーションアドレスに指定して、パケットデータをカプセル化し（ステップＳ７４）、Ｗ−ＣＤＭＡリンク３００−１を介して携帯電話１−１に転送する（ステップＳ１３４）。携帯電話１−１はカプセル化された音声パケットを受信すると、デカプセル化し（図１６（ｃ）参照）、宛先ＩＰアドレスが自身の「ＩＰｒａ＃１１１」であるので、自身宛のパケットデータとして処理する（ステップＳ１６）。
【００６４】
第１及び第２の実施の形態において、複数の通信リンクによりモバイルネットワーク２００に接続可能な通信端末１にも同様に、メディアに応じた通信リンクを指定してパケットデータを配送することができる。例えば、図７（ｂ）に示される、ＰＡＮ情報を持つＰＡＮ登録装置２を有するＰＡＮ１００（ＩＰ＿ＰＡＮ＃Ｂ）上の通信端末１（端末識別アドレス９３  ＩＰｈａ＃１１４）は、通信リンク識別アドレス９４として音声データに対応するＩＰｒａ＃１１４、及び動画データに対応するＩＰｒａ＃１１５を有する。この通信端末に対しＩＰ＿ＰＡＮ＃Ｂ宛てに送信されたパケットデータを転送する場合、パケット転送装置４は、図８に示される転送設定に基づき、デスティネーションアドレスを宛先ＰＡＮ識別アドレス（ＩＰ＿ＰＡＮ＃Ｂ）から配信先端末識別アドレス（ＩＰｈａ＃１１４）に変更し、音声パケットはＩＰｒａ＃１１４で、動画パケットはＩＰｒａ＃１１５でカプセル化してそれぞれに対応する通信リンクを介して通信端末１に送信される。通信端末１は受信されるそれぞれのパケットをデカプセル化して使用する。このように、複数のリンクを介してモバイルネットワーク２００に接続される通信端末１に対してもパケットデータのメディアに応じたリンクを選択してパケットの配送ができる。
【００６５】
従って、本発明によるパケット配送システムは、モバイルネットワーク２００に接続されるＰＡＮ１００内の通信端末１に対し、アプリケーションに応じた通信リンクを選択してパケットが転送され、又、ＰＡＮ１００内の特定の通信端末１に対してアプリケーションに応じた複数の通信リンク３００を同時に選択してパケットを転送することが可能となる。
【００６６】
又、ストリーミングのようにマルチメディアコンテンツ配信において、メディア別のパケット配信制御といった用途にも適用できる。又、パケット転送規則９０に無線電波の不感の場合に使用する通信リンクを指定することで、無線電波の不感知対策といった用途にも適用可能である。
【００６７】
（第３の実施の形態）
図１９から図２２を参照して本発明によるパケット配送装置の第３の実施の形態が説明される。
【００６８】
（構成）
図１９を参照して、本発明によるパケット配送装置の第３の実施の形態における構成が示される。本実施の形態におけるパケット配送装置の構成は、第２の実施の形態における構成からＰＡＮ登録装置２を除き、第２の実施の形態におけるＰＡＮ管理エージェント２３及びＰＡＮ情報Ｄ／Ｂ２７を備える通信端末１’（ここでは、携帯電話１’−１）を具備する構成である。ここで、本実施の形態における携帯電話１’−１の端末装置識別アドレス９３とＰＡＮ識別アドレス９４は同一のアドレスであり、携帯電話１’−１はＰＡＮ識別アドレス９４に対応付けられている。
【００６９】
第３の実施の形態では、通信端末１’として携帯電話１’−１、通信端末１としてＰＤＡ１−２及びノートＰＣ１−３を一例とする。通信端末１及び１’は、ＰＡＮ登録エージェント２３から取得する端末識別アドレス９３と、通信リンク識別アドレス９４とを保持し、ＰＡＮ登録エージェント２３に登録される。又、通信端末１及び１’は、他の通信端末１との接続インターフェース（ＰＡＮ用のインターフェース）と、モバイルネットワーク２００との接続インターフェースを持つ。尚、通信端末１は、例えば図３に示されるノートＰＣ１−３のように、モバイルネットワーク２００との接続インターフェースを持つ他の通信端末１とＰＡＮ１００を介して接続できれば、モバイルネットワーク２００との接続インターフェースを持たなくても構わない。
【００７０】
（動作）
第３の実施の形態では、モバイルネットワーク２００に接続された通信相手６’から、例えば、携帯電話１’−１（端末識別アドレス９３  ＩＰｈａ＃１１１）に対しセッション確立要求が発行され、セッションを確立してパケットデータが配送されることを一例に説明される。図２０から図２３を参照して、本発明によるパケット配送システムの第３の実施の形態における動作が説明される。本説明では、ＰＡＮの登録、ＰＡＮへの端末の加入、通信開始及びパケット転送の４つに動作に分けられて説明される。
【００７１】
（ＰＡＮ登録処理）
ＰＡＮ１００を新たに形成する場合、携帯電話１’−１の備えるＰＡＮ登録エージェント２３は、第１の実施の形態におけるＰＡＮ登録エージェント２３と同様な動作により、ＰＡＮ識別識別子９２、及びＰＡＮ識別アドレス９１としての携帯電話１’−１の端末識別アドレス９３をＰＡＮ管理装置３のＰＡＮ情報Ｄ／Ｂ３６１に格納、登録する。この際、携帯電話端末１’−１の端末識別アドレス９３と携帯電話１’−１の通信リンク識別アドレス９４が関連付けて登録される。
【００７２】
図２０を参照して、ＰＡＮ登録処理の動作が説明される。ＰＡＮ１００を新たに形成する場合、携帯端末１’−１のＰＡＮ登録部２３１は、Ｗ―ＣＤＭＡ通信リンク３００−１を介してモバイルネットワーク２００上のＰＡＮ管理装置３に接続し、ＰＡＮ管理装置３に対し、携帯電話１’−１の通信リンク識別アドレス９４を送信するとともに、ＰＡＮ登録要求を発行する（ステップＳ２０２）。ＰＡＮ管理装置３のＰＡＮ登録部３３１は、ＰＡＮ登録要求を受け付けるとＰＡＮ情報Ｄ／Ｂ３６１内の通信リンク識別アドレス９４と携帯電話端末１’−１の端末識別アドレス９３とを対応付けて、新たに登録するＰＡＮ１００に割り当てる（ステップＳ２０４）。次に、ＰＡＮ管理装置３は、パケット転送装置４に対し、相互に対応付けられた携帯電話端末１’−１の端末識別アドレス９３と、通信リンク識別アドレス９４とを送信するとともに転送設定要求を発行する（ステップＳ２０８）。パケット転送装置４の転送設定部４３は、その携帯電話１’−１の通信リンク識別アドレス９４と携帯電話端末１’−１の端末識別アドレス９３とを対応づけてデフォルトのパケット転送規則として転送設定Ｄ／Ｂ４８に登録する（ステップＳ２０８）。転送設定部４３１は、転送設定を完了すると転送設定応答をＰＡＮ管理装置３に発行する（ステップＳ２１０）。ＰＡＮ管理装置３の転送規則作成部３３２は、転送設定応答を受信すると、携帯電話１’−１にパケット転送応答を発行する（ステップＳ２１２）。このように、携帯電話１’−１のＰＡＮ登録エージェント２３によって、パケットの転送先をＰＡＮ１００（携帯電話１’−１の通信リンク識別アドレス９４）に設定することができる。
【００７３】
（ＰＡＮへの端末加入処理）
新たな通信端末１がＰＡＮ１００に接続する場合、携帯電話１’−１のＰＡＮ登録エージェント２３は、第１の実施の形態におけるＰＡＮ登録エージェント２３と同様な動作により、端末識別アドレス９３、通信リンク識別アドレス９４、通信リンク種別を携帯電話１’−１のＰＡＮ情報Ｄ／Ｂ２７に格納して、新たな通信端末１を加入登録させる。
【００７４】
（通信開始）
図２１を参照して、第３の実施の形態における通信開始処理の動作が説明される。先ず、通信相手端末６’は、セッション確立要求をＳＩＰサーバ５に対し発行する（ステップＳ２１３）。この際、携帯電話１’−１はＳＩＰサーバ５に対し、ＳＩＰ−ＵＲＩのようなサービス識別子と携帯電話端末１’−１の端末識別アドレス９３との対応関係が登録されている状態になっている。ＳＩＰサーバ５は、セッション確立要求を受信すると、セッション確立要求に含まれるサービス識別子に対応するＩＰアドレスに従い、セッション確立要求をパケット転送装置４へ転送する（ステップＳ２１４）。パケット転送装置４は、登録されたパケット転送規則に従い、ソースアドレスとして携帯電話１’−１の通信リンク識別アドレス９４、デスティネーションアドレスとしてパケット転送装置４のアドレスでＩＰ  ｉｎ  ＩＰカプセル化し、パケット転送要求を携帯電話１’−１に転送する（ステップＳ２１５）。
【００７５】
携帯電話１’−１のセッション処理部２３４はセッション確立要求を受信すると、第１の実施の形態におけるセッション処理部２３４と同様に、セッションに含まれるフロー毎にパケットの配送元である通信相手端末６’のＩＰアドレスとポート番号、パケットの配送先の通信端末１の端末識別アドレス９３とポート番号及び通信リンク種別を付加したパケット転送要求をＰＡＮ管理装置３に送信する（ステップＳ２１６）。
【００７６】
第２の実施の形態と同様に、ＰＡＮ管理装置３の転送規則作成部３３２はパケット転送要求を受信すると、パケット転送規則９０を作成し（ステップＳ２１８）、転送規則作成部３３２は、作成した転送規則を含むパケット転送設定要求をパケット転送装置４に発行する（ステップＳ２２０）。パケット転送装置４の転送設定部４３１は、ＰＡＮ管理装置３から受信されるパケット設定要求に含まれるパケット転送規則９０を転送設定Ｄ／Ｂ４８に格納し、転送設定として登録する（ステップＳ２２４）。転送設定部４３１は、転送設定を完了すると転送設定応答をＰＡＮ管理装置３に発行する（ステップＳ２２６）。ＰＡＮ管理装置３の転送規則作成部３３２は、転送設定応答を受信すると、携帯電話１’−１にパケット転送応答を発行する（ステップＳ２２８）。
【００７７】
携帯電話１’−１のセッション処理部２３４は、パケット転送応答を受信すると、パケットの配送先を携帯電話１’−１の端末識別アドレス９３を指定し、ＳＩＰサーバ５を介し通信相手端末６’に対しセッション確立応答を発行し、セッション確立を完了する（ステップＳ２３０）。このように、ＰＡＮ識別アドレス９１として携帯電話１’−１の端末識別アドレス９３とＰＡＮ１００とを対応付けるため、通信中に、通信開始の動作と同様にパケット転送要求をＰＡＮ管理装置３に送信してパケットの転送先を変更することができる。
【００７８】
（パケット転送処理）
図２２を参照して、本発明によるパケット配送システムの第３の実施の形態におけるパケット転送処理のシーケンス図が示される。本実施の形態におけるパケット転送装置４は、通信相手端末６’から携帯電話１’−１の端末識別アドレス９３宛のパケットを受信すると（ステップＳ２４２）、パケットのフロー識別情報をパケット転送規則でフィルタリングすることにより、パケットの転送先を決定する（ステップＳ２４４、ステップＳ２５４）。パケットの転送先が携帯電話１’―１の場合（ソースアドレス：通信相手端末６’のアドレス、デスティネーションアドレス：携帯電話１’−１の端末識別アドレス）、デスティネーションアドレスとして携帯電話１’−１の通信リンク識別アドレス９４、ソースアドレスとしてパケット転送装置４のアドレスでＩＰ  ｉｎ  ＩＰカプセル化して（ステップＳ２４６）、携帯電話１’−１に転送する。
【００７９】
通信相手端末６’から転送されるパケットの転送先が、携帯電話１’−１以外の通信端末１の場合（ソースアドレス：通信相手端末６’のアドレス、デスティネーションアドレス：携帯電話１’−１の端末識別アドレス）、パケット転送装置４は、転送設定に基づいて宛先のアドレスを転送先の通信端末１の端末識別アドレス９３に変換し（ステップＳ２５６）、デスティネーションアドレスとして通信端末１の通信リンク識別アドレス９４、ソースアドレスとしてパケット転送装置４のアドレスでＩＰ  ｉｎ  ＩＰカプセル化して（ステップＳ２５８）、通信端末１に転送する（ステップＳ２６０）。又、転送先が、モバイルネットワーク２００に接続していないＰＡＮ１００上の通信端末１（例えばノートＰＣ１−３）である場合、宛先のアドレスを転送先のノートＰＣ１−３の端末識別アドレス９３に変換し（ステップＳ２５６）、デスティネーションアドレスとしてＰＤＡ１−２の通信リンク識別アドレス９４、ソースアドレスとしてパケット転送装置４のアドレスでＩＰ  ｉｎ  ＩＰカプセル化して（ステップＳ２５８）、ＰＤＡ１−２に転送する（ステップＳ２６０）。ＰＤＡ１−２は、転送されたパケットをデカプセル化し（ステップＳ２６２）、そのパケット（ソースアドレス：通信相手端末６’のアドレス、デスティネーションアドレス：ノートＰＣ１−３の端末識別アドレス）をノートＰＣ１−３に転送する（ステップＳ２６４）。
【００８０】
以上のように、第３の実施の形態では、第２の実施の形態においてＰＡＮ１００に割り当てられたＰＡＮ識別アドレス９１に換えて、ＰＡＮ登録エージェント２３を具備する通信端末１’の端末識別アドレス９３を割り当てているため、通信開始後に新たなＰＡＮ１００が形成されても、通信端末１間におけるセッションハンドオーバが可能となる。
【００８１】
（第４の実施の形態）
図２３から図２５を参照して本発明によるパケット配送装置の第４の実施の形態が説明される。
【００８２】
（構成）
図２３を参照して、本発明によるパケット配送システムの第４の実施の形態における構成が示される。本実施の形態におけるパケット配送装置の構成は、第２の実施の形態におけるノートＰＣ１−３を除く構成である。すなわち、第４の実施の形態において、ＰＡＮ１００に接続される全ての通信端末１は、モバイルネットワーク１００に接続可能なインターフェースを具備する携帯電話やＰＤＡあるいはノートＰＣ等の通信端末である。第４の実施の形態における通信端末１は、端末識別アドレス９３に換えてグローバルＩＰアドレスを用い、ＰＡＮ情報Ｄ／Ｂ２７の構造は図７に示される端末識別アドレス９３に換えてグローバルＩＰアドレスとなる。
【００８３】
第４の実施の形態では、通信端末１として携帯電話１−１、ＰＤＡ１−２を一例とする。通信端末１は、他の通信端末１との接続インターフェース（ＰＡＮ用のインターフェース）と、１つのモバイルネットワーク２００との接続インターフェースを持つ。
【００８４】
（動作）
第４の実施の形態では、モバイルネットワーク２００に接続された通信相手６’から、携帯電話１−１に対しセッション確立要求が発行され、セッションを確立してパケットデータが配送されることを一例に説明される。図２４及び図２５を参照して、本発明によるパケット配送システムの第４の実施の形態における動作が説明される。本説明では、ＰＡＮの登録、ＰＡＮへの端末の加入、通信開始及びパケット転送の４つに動作に分けられて説明される。
【００８５】
（ＰＡＮ登録処理）
第４の実施の形態におけるＰＡＮ登録処理は、第１の実施の形態と同じであるので説明は省略される。
【００８６】
（ＰＡＮへの端末加入処理）
図２４を参照して、第４の実施の形態におけるＰＡＮ１００への端末加入処理の動作が説明される。ＰＡＮ登録装置２の端末登録部２３２は、ＰＡＮ１００に対しＰＡＮ識別子９２を添えたＰＡＮ広告を送信する（ステップＳ２７２）。ＰＡＮ広告を受け付けた通信端末１は、ＰＡＮ１に加入するために、ＰＡＮ識別子、通信リンク識別アドレス９４及び通信リンク種別を付加したＰＡＮ加入要求をＰＡＮ登録装置２に対して発行する（ステップＳ２７４）。ＰＡＮ登録装置２は、その通信リンク識別アドレス９４と通信リンク種別を登録する。ＰＡＮ登録装置２の端末登録部２３２は、通信端末１から受信されるＰＡＮ識別子を確認し、自身のＰＡＮ識別子と一致する場合、通信リンク識別アドレス９４と、通信リンク種別を関連付けてＰＡＮ情報としてＰＡＮ情報Ｄ／Ｂ２７に格納する（ステップＳ２７６）。
【００８７】
（通信開始）
第４の実施の形態における通信開始処理の動作
図１７を参照して、第４の実施の形態における通信開始処理の動作が説明される。先ず、通信相手端末６’は、セッション確立要求をＳＩＰサーバ５に対し発行する（ステップＳ１０２）。ＳＩＰサーバ５は、セッション確立要求を受信すると、セッション確立要求に含まれるサービス識別子に対応するＩＰアドレスに従い、ＰＡＮ登録装置２へ転送する（ステップＳ１０４）。
【００８８】
ＰＡＮ登録装置２のセッション処理部２３４はセッション確立要求を受信すると、セッションに含まれるフロー毎にパケットの配送元である通信相手端末６’のＩＰアドレスとポート番号、パケットの配送先の通信端末１の通信リンク識別アドレス９４とポート番号及び通信リンク種別を付加したパケット転送要求をＰＡＮ管理装置３に送信する（ステップＳ１０６）。ＰＡＮ管理装置３の転送規則作成部３３２はパケット転送要求を受信すると、パケット転送要求に含まれる情報からフロー毎に、ストリーミング配信の宛先アドレスであるＰＡＮ識別アドレス９１と、パケットデータの配送元のデータ配信サーバ６のＩＰアドレス及びポート番号と、パケットデータの配送先の通信リンク識別アドレス９４と、ポート番号と、トランスポートプロトコル及びメディアフォーマットリストを含むメディア情報９５とを対応付けたパケット転送規則９０を作成する（ステップＳ１０８）。転送規則作成部３３２は、作成した転送規則を含むパケット転送設定要求をパケット転送装置４に発行する（ステップＳ１１０）。パケット転送装置４の転送設定部４３１は、ＰＡＮ管理装置３から受信されるパケット設定要求に含まれるパケット転送規則９０を転送設定Ｄ／Ｂ４８に格納し、転送設定として登録する（ステップＳ１１２）。転送設定部４３１は、転送設定を完了すると転送設定応答をＰＡＮ管理装置３に発行する（ステップＳ１１６）。ＰＡＮ管理装置３の転送規則作成部３３２は、転送設定応答を受信すると、ＰＡＮ登録装置２にパケット転送応答を発行する（ステップＳ１１６）。
【００８９】
ＰＡＮ登録装置２のセッション処理部２３４は、パケット転送応答を受信すると、パケットの配送先をＰＡＮ識別アドレス９１に指定しＳＩＰサーバ５を介し通信相手端末６’に対しセッション情報確立応答を発行し、セッション確立を完了する（ステップＳ１１８）。  
【００９０】
（パケット転送処理）
図２５を参照して、本発明によるパケット配送システムの第４の実施の形態におけるパケット転送処理のシーケンス図が示される。本実施の形態におけるパケット転送装置４は、通信相手端末６’からＰＡＮ識別アドレス宛のパケットを受信すると（ステップＳ２８２）、パケットのフロー識別情報をパケット転送規則でフィルタリングすることにより、パケットの転送先を決定する（ステップＳ２８４）。パケットの転送先が携帯電話１−１の場合（ソースアドレス：通信相手端末６’のアドレス、デスティネーションアドレス：携帯電話１−１の端末識別アドレス）、デスティネーションアドレスに携帯電話１−１の通信リンク識別アドレス９４、ソースアドレスにパケット転送装置４と、アドレスをそれぞれ変換し、携帯電話１−１に送信する。
【００９１】
第４の実施の形態では、全ての通信端末１がグローバルアドレスを持っているため、ＰＡＮ登録エージェント２３による端末識別アドレスの管理は不要になる。又、通信リンク識別アドレス９４のみで通信端末１の識別と、通信リンクの識別が可能となるため、カプセル化のためのヘッダを削除することができる。尚、本実施の形態では、ＰＡＮ登録装置２に換えて、ＰＡＮ登録エージェント２３を具備する通信端末１’で構成しても構わない。この場合、ＰＡＮ１００に対応付けられるＰＡＮ識別アドレスと、通信端末１’の端末識別アドレス９３は同一であり、通信相手端末６’は、ＰＡＮ識別アドレス１として通信端末１’の端末識別アドレス９３を宛先としてパケットを送信する。
【００９２】
以上、本発明の実施の形態を詳述してきたが、具体的な構成は上記実施の形態に限られるものではなく、本発明の要旨を逸脱しない範囲の変更があっても本発明に含まれる。本実施の形態では、ＰＡＮ登録装置２とモバイルネットワーク２００との接続に無線ＬＡＮを用いたが、他の無線通信インターフェースや、有線回線インターフェースを使用しても構わない。
【図面の簡単な説明】
【００９３】
【図１】図１は、従来のＮＥＭＯのブロック図である。
【図２】図２は、従来のＮＥＭＯのパケット転送の流れを示すブロック図である。
【図３】図３は、本発明によるパケット配送システムの第１の実施の形態における構成図である。
【図４】図４は、本発明によるＰＡＮ登録装置の実施の形態における構成図である。
【図５】図５は、本発明によるＰＡＮ管理装置の実施の形態における構成図である。
【図６】図６は、本発明によるパケット転送装置の実施の形態における構成図である。
【図７】図７は、本発明にＰＡＮ情報の構造図の一例である。
【図８】図８は、本発明によるパケット転送規則の構造図の一例である。
【図９】図９は、本発明によるパケット配送システムの実施の形態におけるＰＡＮ登録及びＰＡＮへの通信端末の加入処理のブロック図である。
【図１０】図１０は、本発明によるパケット配送システムの実施の形態におけるＰＡＮ登録及びＰＡＮへの通信端末の加入処理のシーケンス図である。
【図１１】図１１は、本発明によるパケット配送システムの第１の実施の形態における通信開始処理のブロック図である。
【図１２Ａ】図１２Ａは、本発明によるパケット配送システムの第１の実施の形態における通信開始処理のシーケンス図である。
【図１２Ｂ】図１２Ｂは、本発明によるパケット配送システムの第１の実施の形態における通信開始処理のシーケンス図である。
【図１３】図１３は、ＰＡＮ登録装置に送信されるセッション情報メッセージの一例である。
【図１４】図１４は、本発明によるパケット配送システムの第１の実施の形態におけるパケット転送処理のブロック図である。
【図１５】図１５は、本発明によるパケット配送システムの第１の実施の形態におけるパケット転送処理のシーケンス図である。
【図１６】図１６は、本発明によるパケット配送システムにおいて、配送されるパケットデータの概念図である。
【図１７】図１７は、本発明によるパケット配送システムの第２の実施の形態における通信開始処理のシーケンス図である。
【図１８】図１８は、本発明によるパケット配送システムの第２の実施の形態におけるパケット転送処理のシーケンス図である。
【図１９】図１９は、本発明によるパケット配送システムの第３の実施の形態における構成図である。
【図２０】図２０は、本発明によるパケット配送システムの第３の実施の形態におけるＰＡＮ登録処理のシーケンス図である。
【図２１】図２１は、本発明によるパケット配送システムの第３の実施の形態における通信開始処理のシーケンス図である。
【図２２】図２２は、本発明によるパケット配送システムの第３の実施の形態におけるパケット転送処理のシーケンス図である。
【図２３】図２３は、本発明によるパケット配送システムの第４の実施の形態における構成図である。
【図２４】図２４は、本発明によるパケット配送システムの第４の実施の形態におけるＰＡＮへの端末加入処理のシーケンス図である。
【図２５】図２５は、本発明によるパケット配送システムの第５の実施の形態におけるパケット転送処理のシーケンス図である。
【符号の説明】
【００９４】
１’：通信端末
１−１、１’−１：携帯電話
１−２：ＰＤＡ
１−３：ノートＰＣ
２：ＰＡＮ登録装置
２３：ＰＡＮ登録エージェント
３：ＰＡＮ管理装置
４：パケット転送装置
５：ＳＩＰサーバ
６：データ配信サーバ
６’：通信相手端末
１００：パーソナルエリアネットワーク（ＰＡＮ）
２００：モバイルネットワーク
３００：通信リンク
３００−１：Ｗ−ＣＤＭＡリンク
３００−２：ＷＬＡＮリンク
９０：パケット転送規則
９１：ＰＡＮ識別アドレス
９２：ＰＡＮ識別子
９３：端末識別アドレス
９４：通信リンク識別アドレス
９５：メディア情報
【図１】
2006191514.tif 000003
【図２】
2006191514.tif 000004
【図３】
2006191514.tif 000005
【図４】
2006191514.tif 000006
【図５】
2006191514.tif 000007
【図６】
2006191514.tif 000008
【図７】
2006191514.tif 000009
【図８】
2006191514.tif 000010
【図９】
2006191514.tif 000011
【図１０】
2006191514.tif 000012
【図１１】
2006191514.tif 000013
【図１２Ａ】
2006191514.tif 000014
【図１２Ｂ】
2006191514.tif 000015
【図１３】
2006191514.tif 000016
【図１４】
2006191514.tif 000017
【図１５】
2006191514.tif 000018
【図１６】
2006191514.tif 000019
【図１７】
2006191514.tif 000020
【図１８】
2006191514.tif 000021
【図１９】
2006191514.tif 000022
【図２０】
2006191514.tif 000023
【図２１】
2006191514.tif 000024
【図２２】
2006191514.tif 000025
【図２３】
2006191514.tif 000026
【図２４】
2006191514.tif 000027
【図２５】
2006191514.tif 000028